(57)【要約】【課題】本発明は、床スラブにおける段差の形成方法に関し、低コストで工期を短縮できる段差の形成方法を提供することが課題である。【解決手段】一方向に細長い所要幅のコンクリート板であって、その長手方向に沿って中空穴とＰＣ鋼線とが設けられる穴あきプレストレストコンクリート板１を、ＰＣ鋼線を張架した成型ベッド上を前記中空穴を形成しながらコンクリートを打設した後、前記打設したコンクリートが硬化する前に、前記中空穴の長手方向における一部分で幅方向における全幅若しくは一部の幅の部分において、前記中空穴の上部のコンクリート部分を他の部分のコンクリート面よりも低くなるように段差加工し、その後にこの穴あきプレストレストコンクリート板を硬化させて形成し、この穴あきプレストレストコンクリート板を、建物の建築現場における梁間に架設して固定し、前記段差加工した部分をコンクリート床の段差とする床スラブにおける段差の形成方法とするものである。【選択図】図１
2007291755.tif 000002
【特許請求の範囲】
【請求項１】
一方向に細長い所要幅のコンクリート板であって、その長手方向に沿って中空穴とＰＣ鋼線とが設けられる穴あきプレストレストコンクリート板を、ＰＣ鋼線を張架した成型ベッド上を前記中空穴を形成しながらコンクリートを打設した後、前記打設したコンクリートが硬化する前に、前記中空穴の長手方向における一部分で幅方向における全幅若しくは一部の幅の部分において、前記中空穴の上部のコンクリート部分を他の部分のコンクリート面よりも低くなるように段差加工し、その後にこの穴あきプレストレストコンクリート板を硬化させて形成し、この穴あきプレストレストコンクリート板を建物の建築現場における梁間に架設して固定し、前記段差加工した部分をコンクリート床の段差とすること、
を特徴とする床スラブにおける段差の形成方法。
【請求項２】
梁間に架設して敷設された穴あきプレストレストコンクリート板に対して、この穴あきプレストレストコンクリート板を前記梁に固定して床スラブとすること、又は、前記プレストレストコンクリート板の上に現場打ちコンクリートを打設して合成床にすること、
を特徴とする請求項１に記載の床スラブにおける段差の形成方法。
【請求項３】
一方向に細長い所要幅のコンクリート板であって、その長手方向に沿って中空穴とＰＣ鋼線とが設けられる穴あきプレストレストコンクリート板を、ＰＣ鋼線を張架した成型ベッド上を前記中空穴を形成しながらコンクリートを打設した後、前記打設したコンクリートが硬化する前に、前記中空穴の長手方向における一部分で幅方向における全幅若しくは一部の幅の部分において、前記中空穴の上部のコンクリート部分を他の部分のコンクリート面よりも低くなるように段差加工し、その後にこの穴あきプレストレストコンクリート板を硬化させて形成すること、
を特徴とする穴あきプレストレストコンクリート板の形成方法。
【請求項４】
段差加工は、押し潰しによる加工、コンクリートを取り去る加工、押し潰しによる加工とコンクリートを取り去る加工との混合、のうちのいずれか一つによる加工であること、
を特徴とする請求項３に記載の穴あきプレストレストコンクリート板の形成方法。
【発明の詳細な説明】
【技術分野】
【０００１】
本発明は、例えば、集合住宅におけるバスルームやトイレ等の水周り部分に設けられる段差を形成する、床スラブにおける段差の形成方法と、それに使用する穴あきプレストレストコンクリート板の形成方法に関するものである。
【背景技術】
【０００２】
従来、マンション等の集合住宅における浴室等の水周り部分は、ダイニングキッチンや廊下等の床よりも低くしてコンクリート床が形成されるので、段差が形成されている。
【０００３】
前記段差のあるコンクリート床は、現場においてプレキャストコンクリート（ＰＣａ）板であって、その長手方向に沿って複数条の中空穴が併設され、且つ、複数本のＰＣ鋼線が緊張されて併設されている、いわゆる穴あきプレストレストコンクリート（ＰＣ）板を２枚突き合わせて、その突き合わせ部分に型枠を取り付け、前記穴あきＰＣ板上に鉄筋が配筋されコンクリートが打設されて、段差を有するコンクリート床が形成されている。
【０００４】
また、前記突き合わせ部分の配筋量が強度確保のために比較的多く配筋され複雑になって工期も長引くことから、穴あきＰＣ板を重ね合わせて、その重ね合わせ部分に垂直方向に穿設するスリットを設けて、そこに補強材と接合材を挿入して接合し、接合された穴空きＰＣ板上にコンクリートを打設して、段差を有するコンクリート床の構築方法が知られている（特許文献１参照）。
【特許文献１】特開２００５−２２０６７１号公報
【発明の開示】
【発明が解決しようとする課題】
【０００５】
しかし、従来の床スラブにおける段差の形成方法では、２枚の穴あきＰＣ板を突き合わせたり、重ね合わせたりするので、その接合部の強度は期待できない。また、接合部分を支保工で支える必要があるので、当該支保工の設置と撤去とに手間が掛かる。本発明に係る床スラブにおける段差の形成方法は、このような課題を解決するために提案されたものである。
【課題を解決するための手段】
【０００６】
本発明に係る床スラブにおける段差の形成方法の上記課題を解決して目的を達成するための要旨は、一方向に細長い所要幅のコンクリート板であって、その長手方向に沿って中空穴とＰＣ鋼線とが設けられる穴あきプレストレストコンクリート板を、ＰＣ鋼線を張架した成型ベッド上を前記中空穴を形成しながらコンクリートを打設した後、前記打設したコンクリートが硬化する前に、前記中空穴の長手方向における一部分で幅方向における全幅若しくは一部の幅の部分において、前記中空穴の上部のコンクリート部分を他の部分のコンクリート面よりも低くなるように段差加工し、その後にこの穴あきプレストレストコンクリート板を硬化させて形成し、この穴あきプレストレストコンクリート板を建物の建築現場における梁間に架設して固定し、前記段差加工した部分をコンクリート床の段差とすることである。
【０００７】
前記梁間に架設して敷設された穴あきプレストレストコンクリート板に対して、この穴あきプレストレストコンクリート板を前記梁に固定して床スラブとすること、又は、前記プレストレストコンクリート板の上に現場打ちコンクリートを打設して合成床にすること、；
を含むものである。
【０００８】
また、本発明に係る穴あきプレストレストコンクリート板の形成方法の要旨は、一方向に細長い所要幅のコンクリート板であって、その長手方向に沿って中空穴とＰＣ鋼線とが設けられる穴あきプレストレストコンクリート板を、ＰＣ鋼線を張架した成型ベッド上を前記中空穴を形成しながらコンクリートを打設した後、前記打設したコンクリートが硬化する前に、前記中空穴の長手方向における一部分で幅方向における全幅若しくは一部の幅の部分において、前記中空穴の上部のコンクリート部分を他の部分のコンクリート面よりも低くなるように段差加工し、その後にこの穴あきプレストレストコンクリート板を硬化させて形成することである。
また、前記段差加工は、押し潰しによる加工、コンクリートを取り去る加工、押し潰しによる加工とコンクリートを取り去る加工との混合、のうちのいずれか一つによる加工であることを含むものである。
【発明の効果】
【０００９】
本発明の床スラブにおける段差の形成方法によれば、コンクリート床における段差を、予め工場で形成してしまうので、２枚のＰＣ板を付き合わせた部分において現場での配筋作業や型枠作りや支保工の設置等の段差構築作業が、本発明では全て省かれることになり、コストを大幅に低減させるとともに、著しい工期の短縮となる。更に、段差の形成においても、成型ベッドに打設した未硬化状態のコンクリートに段差加工するので、加工自体が容易である。また、任意の形状の段差を能率的に形成することができる。
本発明に係る穴あきプレストレストコンクリート板の形成方法によれば、工場にて予め必要な段差を容易に形成することができる。
【発明を実施するための最良の形態】
【００１０】
本発明に係る床スラブにおける段差の形成方法と、それに使用する穴あきプレストレストコンクリート板１の形成方法は、図１（Ａ）に示すように、一方向に細長い所要幅のコンクリート板１ａであって、その長手方向に沿って複数個の中空穴２と、プレストレス用の緊張材であるＰＣ鋼線３とが設けられる穴あきプレストレストコンクリート板１を、例えば、工場の中において、床上に設置した成型ベッド（図示せず）の上を移動しながら打設口からコンクリートを打設するコンクリート打設機によりコンクリートを打設する。前記複数本のＰＣ鋼線３は、予め成型ベッド上を緊張して張架されている。また、前記コンクリート打設機の打設口に設けられる穴用中子部材により、コンクリート打設機の移動とともに形成される。
【００１１】
そして、前記打設したコンクリートが硬化する前（例えば、１時間以内）に、前記中空穴２の長手方向における一部分で幅方向における全幅若しくは一部の幅の部分において、例えば、図２（Ａ），（Ｂ），（Ｃ）に示すように、前方部分に、中央部に、後方部分に、おいて、前記中空穴２の上部のコンクリート部分２ａを他の部分のコンクリート面よりも低くなるように、段差部分４の加工をする。
【００１２】
前記段差加工とは、例えば、プレス器機等によって押し潰しによる加工、大型スコップや大型バキューム等の器機で未硬化状態のコンクリートを取り去る加工、前記押し潰しによる加工とコンクリートを取り去る加工との混合による加工、コンクリート硬化後にブレーカーではつる加工やダイヤモンドカッターで切り取る加工、のうちのいずれか一つによる加工である。前記押し潰したコンクリートは、その後、締め固めることで、他の部分のコンクリートと同一の性能・強度となる。
【００１３】
なお、ＰＣ鋼線３は、そのままコンクリート中に埋設させておく。仮に、前記コンクリート部分２ａを押し潰して、ＰＣ鋼線３が露出してしまった場合は、プレストレストコンクリート板１の硬化後に、切断する。また、前記ＰＣ鋼線３が露出しても、後に、コンクリートを現場打ちする場合には、そのまま放置しても良い。
【００１４】
その後に、この穴あきプレストレストコンクリート板１を硬化させ、建物の建築現場における梁間に、図３に示すように、架設して必要数を敷設して固定する。更に、梁間に架設して敷設された穴あきプレストレストコンクリート板１に対して、図４に示すように、前記プレストレストコンクリート板１の上に現場打ちコンクリート５を打設して合成床にする（図４（Ａ））、又は、この穴あきプレストレストコンクリート板をコンクリート６により前記梁７に固定して床スラブとする（図４（Ｂ））ものである。
【図面の簡単な説明】
【００１５】
【図１】本発明に係る床スラブにおける段差の形成方法に使用するＰＣ板１の斜視図（Ａ）と、他の例に係るＰＣ板の斜視図（Ｂ），（Ｃ），（Ｄ）である。
【図２】同ＰＣ板１の段差を設けた実施例の様子を示す側面図（Ａ），（Ｂ），（Ｃ）である。
【図３】同ＰＣ板１を敷設した様子を示す斜視図である。
【図４】同ＰＣ板１によって、合成床とした場合の縦断面図（Ａ）と、前記ＰＣ板１を床スラブとした場合の縦断面図（Ｂ）である。
【符号の説明】
【００１６】
１          ＰＣ板、
２          中空穴、
２ａ        中空穴２の上部のコンクリート部分    
３          ＰＣ鋼線、
４          段差部分、
５，６      現場打ちコンクリート。
【図１】
2007291755.tif 000003
【図２】
2007291755.tif 000004
【図３】
2007291755.tif 000005
【図４】
2007291755.tif 000006